(57)【要約】【課題】タービンの回転軸のアライメントを適正に維持できる発電プラントを提供すること。【解決手段】この発電プラント１は、鋼製架台２と、この鋼製架台２に設置されるガスタービン３、蒸気タービン４および発電機５とを有する。ガスタービン３、蒸気タービン４および発電機５は、鋼製架台２上にて直線状に配置されている。ここで、ガスタービン３および蒸気タービン４は、鋼製架台２に対して接続部Ｃを介して設置されている。そして、この発電プラント１では、ガスタービン３および蒸気タービン４と鋼製架台２との接続部Ｃがガスタービン３および蒸気タービン４から鋼製架台２への伝熱を抑制する断熱構造を有する。この断熱構造は、例えば、ガスタービン３および蒸気タービン４と鋼製架台２との接続部Ｃに挟み込まれて配置された断熱材７１により構成される。【選択図】        図２
2007292194.tif 000002
【特許請求の範囲】
【請求項１】
鋼製架台と、前記鋼製架台に設置されるタービンとを有する発電プラントであって、
前記タービンと前記鋼製架台との接続部が前記タービンから前記鋼製架台への伝熱を抑制する断熱構造を有することを特徴とする発電プラント。
【請求項２】
前記断熱構造が前記タービンと前記鋼製架台との接続部に挟み込まれて配置された断熱材により構成される請求項１に記載の発電プラント。
【請求項３】
鋼製架台と、前記鋼製架台に設置されるタービンとを有する発電プラントであって、
前記タービンと前記鋼製架台との接続部に当該接続部を冷却するための冷却溝が形成される請求項１または２に記載の発電プラント。
【請求項４】
前記冷却通路に冷媒を流通させる冷媒供給手段が設置される請求項３に記載の発電プラント。
【請求項５】
鋼製架台と、前記鋼製架台に設置されるタービンとを有する発電プラントであって、
前記鋼製架台の内部に形成される冷却通路と、前記冷却通路に冷媒を流通させる冷媒供給手段とを含むことを特徴とする発電プラント。
【請求項６】
前記冷却通路には、冷媒の流路を延長する仕切板が配置される請求項５に記載の発電プラント。
【請求項７】
前記冷却通路には、冷媒の流れを撹拌する撹拌手段が配置される請求項５または６に記載の発電プラント。
【請求項８】
前記冷却通路が前記鋼製架台の内部に配置された管路により構成される請求項５に記載の発電プラント。
【請求項９】
前記冷却通路が前記鋼製架台の壁面のうち前記タービン側の壁面に沿って形成される請求項５〜８のいずれか一つに記載の発電プラント。
【請求項１０】
鋼製架台と、前記鋼製架台に設置されるタービンとを有する発電プラントであって、
前記タービンとの接続部を有する前記鋼製架台の部分が、当該部分を囲む前記鋼製架台の部分に対して隔離されていることを特徴とする発電プラント。
【請求項１１】
鋼製架台と、前記鋼製架台に設置されるタービンとを有する発電プラントであって、
前記鋼製架台が対向する一対の壁部から成ると共に、前記タービンが設置される側の前記部材の熱膨張率が他方の前記壁部よりも低いことを特徴とする発電プラント。
【請求項１２】
鋼製架台と、前記鋼製架台に設置されるタービンとを有する発電プラントであって、
前記鋼製架台が対向する一対の壁部から成り、且つ、前記タービンが設置される側の前記壁部の温度を計測する温度センサと、前記温度センサの計測結果に基づいて他方の前記壁部を加熱する加熱手段とを含むことを特徴とする発電プラント。
【請求項１３】
鋼製架台と、前記鋼製架台に設置されるタービンとを有する発電プラントであって、
前記鋼製架台が対向する一対の壁部から成り、且つ、前記タービンが設置される側の前記壁部の歪みを計測する歪みセンサと、前記歪みセンサの計測結果に基づいて前記鋼製架台に外力を加える矯正手段とを含むことを特徴とする発電プラント。
【請求項１４】
前記鋼製架台を設置するための基礎部を有し、且つ、前記基礎部上にて前記鋼製架台が前記タービンの回転軸の軸方向に熱伸び可能に支持される請求項１〜１３のいずれか一つに記載の発電プラント。
【発明の詳細な説明】
【技術分野】
【０００１】
この発明は、発電プラントに関し、さらに詳しくは、タービンの回転軸のアライメントを適正に維持できる発電プラントに関する。
【背景技術】
【０００２】
近年の発電プラントでは、タービンや発電機の架台（タービンが設置されるトップテーブル）として組立式の鋼製架台が採用されつつある。かかる発電プラントの稼働時には、タービンでの発熱により鋼製架台の温度が上昇して鋼製架台が熱伸び（熱変形）する。このとき、鋼製架台が固定支持されている構成では、この熱伸びにより鋼製架台が曲げ変形する。すると、タービンの回転軸のアライメントが不適正となり、発電プラントの運転に支障が生じるおそれがある。例えば、鋼製架台の曲げ変形により回転軸のアライメントが崩れると、回転軸の軸受荷重が設計値に対して異なる値をとり、回転軸の軸径の安定性が低下する。このため、従来の発電プラントでは、鋼製架台を冷却することにより鋼製架台の熱変形を抑制して、回転軸のアライメントを適正に維持する構成が採用されている。
【０００３】
かかる従来の発電プラントには、特許文献１に記載される技術が知られている。従来の発電プラント（ガスタービン）は、架台のトップテーブル上に載置されたガスタービン装置と、該ガスタービン装置の吸気口に空気を供給する吸気ダクトと、前記ガスタービン装置からの排ガス排気する排気通路とを備えたガスタービン設備において、前記ガスタービン装置の下方に冷却媒体が通る冷媒流路を形成すると共に、該冷媒流路と前記吸気ダクトとをトップテーブルの上下面側にそれぞれ配置する。
【０００４】
【特許文献１】特開平６−１５９０９４号公報
【発明の開示】
【発明が解決しようとする課題】
【０００５】
この発明は、タービンの回転軸のアライメントを適正に維持できる発電プラントを提供することを目的とする。
【課題を解決するための手段】
【０００６】
上記目的を達成するため、この発明にかかる発電プラントは、鋼製架台と、前記鋼製架台に設置されるタービンとを有する発電プラントであって、前記タービンと前記鋼製架台との接続部が前記タービンから前記鋼製架台への伝熱を抑制する断熱構造を有することを特徴とする。
【０００７】
この発電プラントでは、接続部の断熱構造により、熱源となるタービンから鋼製架台への伝熱が抑制される。これにより、熱伸びによる鋼製架台の曲げ変形が抑制されるので、タービンの回転軸のアライメントが適正に維持される利点がある。
【０００８】
また、この発明にかかる発電プラントは、前記断熱構造が前記タービンと前記鋼製架台との接続部に挟み込まれて配置された断熱材により構成される。
【０００９】
この発電プラントでは、断熱材によりタービン側から鋼製架台への伝熱が抑制される。これにより、熱伸びによる鋼製架台の熱変形が抑制されて、タービンの回転軸のアライメントが適正に維持される利点がある。
【００１０】
また、この発明にかかる発電プラントは、鋼製架台と、前記鋼製架台に設置されるタービンとを有する発電プラントであって、前記タービンと前記鋼製架台との接続部に当該接続部を冷却するための冷却溝が形成される。
【００１１】
この発電プラントでは、冷却溝での放熱により接続部が冷却されるので、回転軸の軸受から鋼製架台への伝熱が抑制される。これにより、熱伸びによる鋼製架台の熱変形が抑制されて、タービンの回転軸のアライメントが適正に維持される利点がある。
【００１２】
また、この発明にかかる発電プラントは、前記冷却通路に冷媒を流通させる冷媒供給手段が設置される。
【００１３】
この発電プラントでは、冷却溝に供給される冷媒により、冷却溝での放熱が促進されてタービンから鋼製架台への伝熱が抑制される。これにより、熱伸びによる鋼製架台の熱変形がより効果的に抑制されて、タービンの回転軸のアライメントが適正に維持される利点がある。
【００１４】
また、この発明にかかる発電プラントは、鋼製架台と、前記鋼製架台に設置されるタービンとを有する発電プラントであって、前記鋼製架台の内部に形成される冷却通路と、前記冷却通路に冷媒を流通させる冷媒供給手段とを含むことを特徴とする。
【００１５】
この発電プラントは、発電プラントの稼働時にて、冷却通路を流通する冷媒により鋼製架台が冷却される。これにより、熱伸びによる鋼製架台の熱変形がより効果的に抑制されて、タービンの回転軸のアライメントが適正に維持される利点がある。
【００１６】
また、この発明にかかる発電プラントは、前記冷却通路には、冷媒の流路を延長する仕切板が配置される。
【００１７】
この発電プラントでは、仕切板により冷却通路における冷媒の流路が延長されるので、冷却通路の表面積が増加して、鋼製架台が効果的に冷却される。これにより、鋼製架台の熱変形がより効果的に抑制されて、タービンの回転軸のアライメントが適正に維持される利点がある。
【００１８】
また、この発明にかかる発電プラントは、前記冷却通路には、冷媒の流れを撹拌する撹拌手段が配置される。
【００１９】
この発電プラントでは、撹拌手段により冷却通路内に冷媒の乱流が発生して、鋼製架台が効果的に冷却される。これにより、鋼製架台の熱変形が抑制されて、タービンの回転軸のアライメントが適正に維持される利点がある。
【００２０】
また、この発明にかかる発電プラントは、前記冷却通路が前記鋼製架台の内部に配置された管路により構成される。
【００２１】
この発電プラントでは、冷媒供給手段から供給された冷媒が上記の管路（冷却通路）を通り、この管路を介して鋼製架台の壁面が冷却される。これにより、鋼製架台の熱変形が抑制されて、タービンの回転軸のアライメントが適正に維持される利点がある。
【００２２】
また、この発明にかかる発電プラントは、前記冷却通路が前記鋼製架台の壁面のうち前記タービン側の壁面に沿って形成される。
【００２３】
この発電プラントでは、高温となるタービン側の壁面が効果的に冷却されるので、タービン側の壁面と反対側の壁面との温度差が緩和される。これにより、鋼製架台の曲げ変形が抑制されて、タービンの回転軸のアライメントが適正に維持される利点がある。
【００２４】
また、この発明にかかる発電プラントは、鋼製架台と、前記鋼製架台に設置されるタービンとを有する発電プラントであって、前記タービンとの接続部を有する前記鋼製架台の部分が、当該部分を囲む前記鋼製架台の部分に対して隔離されていることを特徴とする。
【００２５】
この発電プラントでは、タービンからの熱が接続部を介して鋼製架台に伝わると、この接続部が設置されている鋼製架台の部分が熱伸びする。このとき、周囲の部分は、この熱伸びした部分から隔離されているのでタービンからの熱が伝達されず、熱伸びし難い。これにより、熱伸びによる鋼製架台全体の変形が抑制されるので、タービンの回転軸のアライメントが適正に維持される利点がある。
【００２６】
また、この発明にかかる発電プラントは、鋼製架台と、前記鋼製架台に設置されるタービンとを有する発電プラントであって、前記鋼製架台が対向する一対の壁部から成ると共に、前記タービンが設置される側の前記部材の熱膨張率が他方の前記壁部よりも低いことを特徴とする。
【００２７】
この発電プラントでは、タービン側（上面側）の壁部の熱膨張率の方が反対側（下面側）の壁部の熱膨張率よりも低いので、タービンからの熱により鋼製架台が熱伸びしたときに、高温となるタービン側の壁部の熱伸び量と反対側の壁部の熱伸び量との差が緩和される。これにより、熱伸びによる鋼製架台の曲げ変形が抑制されるので、タービンの回転軸のアライメントが適正に維持される利点がある。
【００２８】
また、この発明にかかる発電プラントは、鋼製架台と、前記鋼製架台に設置されるタービンとを有する発電プラントであって、前記鋼製架台が対向する一対の壁部から成り、且つ、前記タービンが設置される側の前記壁部の温度を計測する温度センサと、前記温度センサの計測結果に基づいて他方の前記壁部を加熱する加熱手段とを含むことを特徴とする。
【００２９】
この発電プラントは、鋼製架台のタービン側の壁部の温度に基づいて他方の壁部が加熱されるので、各壁部の温度差を略均一化する制御が可能となる。すると、タービンからの熱によるタービン側の壁部の熱伸び量と、加熱手段により加熱された他方の壁部の熱伸び量とを略均一化できるので、これらの壁部間の温度差（熱伸び量の差）による鋼製架台の曲げ変形が抑制される。これにより、タービンの回転軸のアライメントが適正に維持される利点がある。
【００３０】
また、この発明にかかる発電プラントは、鋼製架台と、前記鋼製架台に設置されるタービンとを有する発電プラントであって、前記鋼製架台が対向する一対の壁部から成り、且つ、前記タービンが設置される側の前記壁部の歪みを計測する歪みセンサと、前記歪みセンサの計測結果に基づいて前記鋼製架台に外力を加える矯正手段とを含むことを特徴とする。
【００３１】
この発電プラントは、鋼製架台のタービン側の壁部の歪みに基づいて制御部が矯正手段を制御し、この矯正手段が鋼製架台に外力を加えることにより、鋼製架台の曲げ変形を矯正することができる。これにより、タービンの回転軸のアライメントが適正に維持される利点がある。
【００３２】
また、この発明にかかる発電プラントは、前記鋼製架台を設置するための基礎部を有し、且つ、前記基礎部上にて前記鋼製架台が前記タービンの回転軸の軸方向に熱伸び可能に支持される。
【００３３】
この発電プラントでは、その稼働時にて鋼製架台の温度が上昇したときに、鋼製架台が基礎部上にてタービンの回転軸方向に自由に熱伸びできる。したがって、鋼製架台が基礎部に固定支持されている構成と比較して、熱伸びによる鋼製架台の曲げ変形が抑制される。これにより、タービンの回転軸のアライメントが適正に維持される利点がある。
【発明の効果】
【００３４】
この発明にかかる発電プラントでは、接続部の断熱構造により、熱源となるタービンから鋼製架台への伝熱が抑制される。これにより、熱伸びによる鋼製架台の曲げ変形が抑制されるので、タービンの回転軸のアライメントが適正に維持される利点がある。
【００３５】
また、この発明にかかる発電プラントは、発電プラントの稼働時にて、冷却通路を流通する冷媒により鋼製架台が冷却される。これにより、熱伸びによる鋼製架台の熱変形がより効果的に抑制されて、タービンの回転軸のアライメントが適正に維持される利点がある。
【００３６】
また、この発明にかかる発電プラントでは、タービンからの熱が接続部を介して鋼製架台に伝わると、この接続部が設置されている鋼製架台の部分が熱伸びする。このとき、周囲の部分は、この熱伸びした部分から隔離されているのでタービンからの熱が伝達されず、熱伸びし難い。これにより、熱伸びによる鋼製架台全体の変形が抑制されるので、タービンの回転軸のアライメントが適正に維持される利点がある。
【００３７】
また、この発明にかかる発電プラントでは、タービン側（上面側）の壁部の熱膨張率の方が反対側（下面側）の壁部の熱膨張率よりも低いので、タービンからの熱により鋼製架台が熱伸びしたときに、高温となるタービン側の壁部の熱伸び量と反対側の壁部の熱伸び量との差が緩和される。これにより、熱伸びによる鋼製架台の曲げ変形が抑制されるので、タービンの回転軸のアライメントが適正に維持される利点がある。
【００３８】
また、この発明にかかる発電プラントは、鋼製架台のタービン側の壁部の温度に基づいて他方の壁部が加熱されるので、各壁部の温度差を略均一化する制御が可能となる。すると、タービンからの熱によるタービン側の壁部の熱伸び量と、加熱手段により加熱された他方の壁部の熱伸び量とを略均一化できるので、これらの壁部間の温度差（熱伸び量の差）による鋼製架台の曲げ変形が抑制される。これにより、タービンの回転軸のアライメントが適正に維持される利点がある。
【００３９】
また、この発明にかかる発電プラントは、鋼製架台のタービン側の壁部の歪みに基づいて制御部が矯正手段を制御し、この矯正手段が鋼製架台に外力を加えることにより、鋼製架台の曲げ変形を矯正することができる。これにより、タービンの回転軸のアライメントが適正に維持される利点がある。
【発明を実施するための最良の形態】
【００４０】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００４１】
図１は、この発明の実施例にかかる発電プラントを示す構成図である。図２は、図１に記載した発電プラントの鋼製架台の変形防止構造を示す構成図である。図３〜図９は、図２に記載した鋼製架台の変形防止構造の変形例を示す構成図である。
【００４２】
［発電プラント］
発電プラント１は、複合発電プラントであり、鋼製架台２とガスタービン３と蒸気タービン４と発電機５とを有する。この発電プラント１では、ガスタービン３、蒸気タービン４および発電機５（の回転軸３１、４１、５１）が直列に連結されて鋼製架台２上に配置される（図１参照）。また、ガスタービン３、蒸気タービン４および発電機５の各回転軸３１、４１、５１が鋼製架台２上に設置された軸受３２、４２、５２により支持される。また、地面Ｇに基礎部６が設置され、この基礎部６上に鋼製架台２が設置される。
【００４３】
具体的には、基礎部６が基台６１と圧縮コイルバネ群６２と支持台６３とを有する。そして、基台６１がアンカーボルト等（図示省略）により地面Ｇ上に固定され、この基台６１上に圧縮コイルバネ群６２が配列される。このとき、圧縮コイルバネ群６２は、弾性方向を鉛直上方に向けて基台６１に取り付けられる。そして、この圧縮コイルバネ群６２上に支持台６３が固定され、この支持台６３上に鋼製架台２が設置される。かかる圧縮コイルバネ群６２により、タービン３、４の軸振動や地震に起因する振動が減衰される。
【００４４】
［鋼製架台の変形防止構造］
一般に、発電プラントの稼働時には、タービンが熱源となり、発生した熱がタービンの車室（フート）やこれらの回転軸の軸受（軸受箱）を介して鋼製架台に伝達する。すると、この熱により鋼製架台が熱変形してタービンの回転軸のアライメントが崩れるおそれがある。
【００４５】
そこで、この発電プラント１では、タービン３、４と鋼製架台２との接続部Ｃがタービン３、４から鋼製架台２への伝熱を抑制する断熱構造を有する（図２参照）。例えば、この実施例では、タービン３、４の車室と鋼製架台２との接続部Ｃ、ならびに、これらの回転軸３１、４１の軸受３２、４２（軸受箱）と鋼製架台２との接続部Ｃに断熱構造が設けられている。かかる構成では、接続部Ｃの断熱構造により、熱源となるタービン３、４から鋼製架台２への伝熱が抑制される。これにより、熱伸びによる鋼製架台２の曲げ変形が抑制されるので、タービン３、４の回転軸３１、４１のアライメントが適正に維持される利点がある。
【００４６】
例えば、図２に示す構成では、上記の断熱構造がガスタービン３と鋼製架台２との接続部Ｃに挟み込まれて配置された断熱材７１により構成される。具体的には、鋼製架台２の壁面のうちタービン３、４側の壁面（上面）に断熱材７１が敷かれ、この断熱材７１が回転軸３１、４１の軸受３２、４２のフランジ部３３、４３と鋼製架台２との間に挟み込まれるように、タービン３、４（回転軸３１の軸受３２）が設置される。かかる構成では、断熱材７１によりタービン３、４側から鋼製架台２への伝熱が抑制される。これにより、熱伸びによる鋼製架台２の熱変形が抑制されて、タービン３、４の回転軸３１、４１のアライメントが適正に維持される利点がある。なお、断熱材７１は、例えば、セラミックス製のプレートにより構成される。
【００４７】
［変形例１］
また、この発電プラント１では、タービン３、４と鋼製架台２との接続部Ｃに、この接続部Ｃを冷却するための冷却溝（冷却フィン）７２が形成されることが好ましい（図３参照）。例えば、回転軸３１、４１の軸受３２、４２のフランジ部３３、４３に冷却溝７２が形成される。かかる構成では、冷却溝７２での放熱により接続部Ｃが冷却されるので、回転軸３１の軸受３２から鋼製架台２への伝熱が抑制される。これにより、熱伸びによる鋼製架台２の熱変形が抑制されて、タービン３、４の回転軸３１、４１のアライメントが適正に維持される利点がある。
【００４８】
また、上記の構成では、接続部Ｃの冷却溝７２に冷媒（空気など）を流通させる冷媒供給手段（図示省略）が設置されても良い。かかる構成では、冷却溝７２に供給される冷媒により、冷却溝７２での放熱が促進されてタービン３、４から鋼製架台２への伝熱が抑制される。これにより、熱伸びによる鋼製架台２の熱変形がより効果的に抑制されて、タービン３、４の回転軸３１、４１のアライメントが適正に維持される利点がある。なお、上記の冷媒供給手段は、例えば、冷却溝７２に空気を送り込む送風ファンにより構成される。
【００４９】
［変形例２］
また、この発電プラント１は、鋼製架台２の内部に形成される冷却溝７２と、この冷却通路７３に冷媒（例えば、水や空気など）を流通させる冷媒供給手段Ｐとを有しても良い（図４参照）。例えば、鋼製架台２が中空構造を有することにより、鋼製架台２の内部に冷却通路７３が形成される。また、冷媒供給手段Ｐは、例えば、冷却通路７３に空気を送り込む送風ファンにより構成される。かかる構成では、発電プラント１の稼働時にて、冷却通路７３を流通する冷媒により鋼製架台２が冷却される。これにより、熱伸びによる鋼製架台２の熱変形がより効果的に抑制されて、タービン３、４の回転軸３１、４１のアライメントが適正に維持される利点がある。
【００５０】
また、上記の冷却通路７３には、冷媒の流路を延長する仕切板７４が配置されることが好ましい（図４参照）。この仕切板７４は、例えば、冷却通路７３をラビリンス状に仕切るように配置される。かかる構成では、仕切板７４により冷却通路７３における冷媒の流路が延長されるので、冷却通路７３の表面積が増加して、鋼製架台２が効果的に冷却される。これにより、鋼製架台２の熱変形がより効果的に抑制されて、タービン３、４の回転軸３１、４１のアライメントが適正に維持される利点がある。
【００５１】
また、上記の冷却通路７３には、冷媒の流れを撹拌する撹拌手段（図示省略）が配置されることが好ましい。この撹拌手段は、例えば、冷却通路７３内に固定設置された邪魔板あるいはフィンにより構成される。かかる構成では、撹拌手段により冷却通路７３内に冷媒の乱流が発生して、鋼製架台２が効果的に冷却される。これにより、鋼製架台２の熱変形が抑制されて、タービン３、４の回転軸３１、４１のアライメントが適正に維持される利点がある。
【００５２】
また、上記の冷却通路７３は、鋼製架台２の内部に配置された管路（冷却パイプ）により構成されても良い（図５参照）。この管路は、例えば、螺旋構造を有し、鋼製架台２の両側（タービン３、４側およびその反対側）の壁面に当接して配置される。かかる構成では、冷媒供給手段Ｐから供給された冷媒が上記の管路（冷却通路７３）を通り、この管路を介して鋼製架台２の壁面が冷却される。これにより、鋼製架台２の熱変形が抑制されて、タービン３、４の回転軸３１、４１のアライメントが適正に維持される利点がある。
【００５３】
また、一般に、鋼製架台では、熱源に近いタービン側の壁面の方が反対側の壁面よりも熱伸びが大きい。このため、両壁面の温度差（熱伸び差）により鋼製架台がタービン側に反るように曲げ変形して、タービンの回転軸のアライメントが崩れるおそれがある。
【００５４】
そこで、上記の冷却通路７３は、鋼製架台２の壁面のうち少なくともタービン３、４側の壁面（熱源側の壁面）に沿って形成（配置）されることが好ましい。かかる構成では、高温となるタービン３、４側の壁面が効果的に冷却されるので、タービン３、４側の壁面と反対側の壁面との温度差が緩和される。これにより、鋼製架台２の曲げ変形が抑制されて、タービン３、４の回転軸３１、４１のアライメントが適正に維持される利点がある。
【００５５】
また、上記の構成では、冷却通路７３が鋼製架台２の壁面のうちタービン３、４側の壁面にのみ形成されることが好ましい（図示省略）。すなわち、タービン３、４に対して反対側の壁面には、冷却通路７３が形成されない。かかる構成では、高温となるタービン３、４側の壁面のみが積極的に冷却されるので、タービン３、４側の壁面と反対側の壁面との温度差がより効果的に緩和される。これにより、鋼製架台２の曲げ変形がより効果的に抑制されて、タービン３、４の回転軸３１、４１のアライメントが適正に維持される利点がある。
【００５６】
［変形例３］
また、この発電プラント１では、タービン３、４との接続部Ｃを有する鋼製架台２の部分２１が、この部分２１を囲む鋼製架台２の部分２２に対して隔離されても良い（図６参照）。例えば、鋼製架台２が平面方向（タービン３、４の回転軸３１、４１に対して平行な平面方向）に複数の部分２１、２２に分割された構造を有し、これらの部分２１、２２が所定間隔の隙間ｔを隔てて配置される。この隙間ｔは、例えば、鋼製架台２の部分２１が熱伸びしたときの伸び代に相当する大きさを有する。そして、周囲の部分２２から隔離されている部分２１に対してタービン３、４との接続部Ｃ（タービン３、４の車室あるいは回転軸３１、４１の軸受３２、４２）が配置される。
【００５７】
かかる構成では、タービン３、４からの熱が接続部Ｃを介して鋼製架台２に伝わると、この接続部Ｃが設置されている鋼製架台２の部分２１が熱伸びする。このとき、この鋼製架台２の部分２１は、周囲の部分２２に対して隙間ｔを有するので、この隙間ｔの分だけ自由に熱伸びできる。また、周囲の部分２２は、この部分２１から隔離されているのでタービン３、４からの熱が伝達されず、熱伸びし難い。これにより、熱伸びによる鋼製架台２全体の変形が抑制されるので、タービン３、４の回転軸３１、４１のアライメントが適正に維持される利点がある。
【００５８】
［変形例４］
また、この発電プラント１では、鋼製架台２が対向する一対の壁部２３、２４から成ると共に、タービン３、４が設置される側の壁部２３の熱膨張率が他方の壁部２４よりも低いことが好ましい（図７参照）。例えば、鋼製架台２が一対の平板部材から成る壁部２３、２４と、これらの壁部２３、２４を平行に対向させた状態で固定する隔壁（リブ）２５とにより構成される。また、鋼製架台２は、これらの壁部２３、２４の平面を水平にして配置される。また、鋼製架台２の上面側（鉛直上方側）の壁部２３の熱膨張率が下面側の壁部２４の熱膨張率よりも低い。例えば、上面側の壁部２３が、高クロムステンレス鋼、チタン合金あるいはジルコニウム合金により構成され、下面側の壁部２４が一般的なステンレス鋼により構成される。そして、この鋼製架台２の上面側の壁部２３にタービン３、４が取り付けられる。
【００５９】
かかる構成では、タービン３、４側（上面側）の壁部２４の熱膨張率の方が反対側（下面側）の壁部２３の熱膨張率よりも低いので、タービン３、４からの熱により鋼製架台２が熱伸びしたときに、高温となるタービン３、４側の壁部２３の熱伸び量と反対側の壁部２４の熱伸び量との差が緩和される。これにより、熱伸びによる鋼製架台２の曲げ変形が抑制されるので、タービン３、４の回転軸３１、４１のアライメントが適正に維持される利点がある。
【００６０】
［変形例５］
また、この発電プラント１は、鋼製架台２が対向する一対の壁部２３、２４から成り、且つ、タービン３、４が設置される側の壁部２３の温度を計測する温度センサ７５と、この温度センサ７５の計測結果に基づいて他方の壁部２４を加熱する加熱手段７６とを有しても良い（図８参照）。例えば、鋼製架台２が一対の平板部材から成る壁部２３、２４と、これらの壁部２３、２４を平行に対向させた状態で固定する隔壁２５とにより構成される。また、タービン３、４（車室あるいは軸受３２、４２）と鋼製架台２との接続部Ｃに、タービン３、４側の壁部２３の温度を計測する温度センサ７５が設置される。また、これと反対側の壁部２４には、加熱手段（例えば、加熱シート）７６が設置される。温度センサ７５および加熱手段７６は、鋼製架台２の外部に配置された制御部７７に接続されている。この制御部７７は、温度センサ７５により取得されたタービン３、４側の壁部２３の温度データ（計測結果）に基づいて加熱手段７６を駆動制御する。
【００６１】
かかる構成では、鋼製架台２のタービン３、４側の壁部２３の温度に基づいて他方の壁部２４が加熱されるので、各壁部２３、２４の温度差を略均一化する制御が可能となる。すると、タービン３、４からの熱によるタービン３、４側の壁部２３の熱伸び量と、加熱手段７６により加熱された他方の壁部２４の熱伸び量とを略均一化できるので、これらの壁部２３、２４間の温度差（熱伸び量の差）による鋼製架台２の曲げ変形が抑制される。これにより、タービン３、４の回転軸３１、４１のアライメントが適正に維持される利点がある。
【００６２】
［変形例６］
また、この発電プラント１は、鋼製架台２が対向する一対の壁部２３、２４から成り、且つ、壁部２３、２４の歪みを計測する歪みセンサ７８、７８と、これらの歪みセンサ７８の計測結果に基づいて鋼製架台２に外力を加える矯正手段７９とを有しても良い（図９参照）。例えば、鋼製架台２が一対の平板部材から成る壁部２３、２４と、これらの壁部２３、２４を平行に対向させた状態で固定する隔壁２５とにより構成される。また、タービン３、４側の壁部２３およびこれと反対側の壁部２４の歪みを計測する歪みセンサ７８、７８が設置される。また、壁部２４には、矯正手段７９が設置される。この矯正手段７９は、例えば、油圧ジャッキ７９１およびアクチュエータ７９２から成り、アクチュエータ７９２の駆動により油圧ジャッキが昇降して鋼製架台２に外力を付与する。また、歪みセンサ７８および矯正手段７９は、鋼製架台２の外部に配置された制御部７７に接続されている。この制御部７７は、歪みセンサ７８により取得されたタービン３、４側の壁部２３、２４の歪み（計測結果）の差に基づいて矯正手段７９を駆動制御する。
【００６３】
かかる構成では、鋼製架台２の壁部２３、２４の歪み差に基づいて制御部７７が矯正手段７９を制御し、この矯正手段７９が鋼製架台２に外力を加えることにより、鋼製架台２の曲げ変形を矯正することができる。例えば、発電プラント１の稼働時には、タービン３、４からの熱により鋼製架台２のタービン３、４側の壁部２３が熱伸びして、鋼製架台２がタービン３、４側に凸状に湾曲しようとする。そこで、矯正手段７９が鋼製架台２に外力を加えて鋼製架台２の湾曲を矯正することにより、鋼製架台２の曲げ変形が抑制される。これにより、タービン３、４の回転軸３１、４１のアライメントが適正に維持される利点がある。回転軸のアライメントは発電プラント１の稼動前の回転軸セット時に調整されることから、この時の壁部２３，２４に貼付した歪みセンサ７８の出力値をゼロとしておけば、発電プラント１の稼動時にタービン３，４からの熱により鋼製架台２が凸状に湾曲して壁部２３と２４の歪み出力値に差が生じた場合にはひずみ出力値の差をゼロに戻すように矯正手段７９を制御すればよい。なお、図９に示す例では、矯正手段７９が鋼製架台２を下方に引っ張るように外力を作用させて鋼製架台２の湾曲を矯正する。
【００６４】
［変形例７］
また、例えば、鋼製架台が基礎部に固定支持されている構成では、発電プラントの稼働時にて鋼製架台の温度が上昇したときに、鋼製架台のタービン側の壁面が熱伸びする一方で反対側の壁面が基礎部に固定支持されているため、鋼製架台がタービン側に湾曲するように曲げ変形する。すると、タービンの回転軸のアライメントが崩れるおそれがある。
【００６５】
そこで、この発電プラント１は、鋼製架台２を設置するための基礎部６を有し、且つ、この基礎部６上にて鋼製架台２がタービン３、４の回転軸３１、４１の軸方向に熱伸び可能に支持されることが好ましい（図１参照）。かかる構成では、発電プラント１の稼働時にて鋼製架台２の温度が上昇したときに、鋼製架台２が基礎部６上にてタービン３、４の回転軸３１、４１方向に自由に熱伸びできる。すなわち、鋼製架台２が基礎部６に固定されていないので、鋼製架台２の熱伸びが基礎部６に拘束されない。したがって、鋼製架台が基礎部に固定支持されている構成と比較して、熱伸びによる鋼製架台２の曲げ変形が抑制される。これにより、タービン３、４の回転軸３１、４１のアライメントが適正に維持される利点がある。
【００６６】
上記の構成としては、例えば、基礎部６がゴム層６４を有し、このゴム層６４を挟み込みつつ鋼製架台２が基礎部６（支持台６３）上に配置される構成が挙げられる（図１参照）。かかる構成では、タービン３、４からの熱により鋼製架台２が熱伸びしたときに、ゴム層６４が鋼製架台２に従って弾性変形する。これにより、鋼製架台２がタービン３、４の回転軸３１、４１方向に自由に熱伸びできるので、熱伸びによる鋼製架台２の曲げ変形が抑制される。
【００６７】
また、例えば、上記のゴム層６４に代えて、基礎部６が潤滑層を有し、この潤滑層を挟み込みつつ鋼製架台２が基礎部６上に配置されても良い（図示省略）。この潤滑層は、例えば、固体潤滑剤や潤滑油により構成される。かかる構成では、タービン３、４からの熱により鋼製架台２が熱伸びしたときに、鋼製架台２が潤滑層上にて滑ることによりタービン３、４の回転軸３１、４１方向に自由に熱伸びできる。これにより、熱伸びによる鋼製架台２の曲げ変形が抑制される。
【００６８】
また、例えば、上記のゴム層６４に代えて、基礎部６が鋼製のコロ群を有し、これらのコロ群を介して鋼製架台２が基礎部６に支持されても良い（図示省略）。具体的には、これらのコロ群が鋼製架台２の下面と基礎部６（支持台６３）の上面との間に配列される。かかる構成では、タービン３、４からの熱により鋼製架台２が熱伸びしたときに、鋼製架台２とコロ群とが転がり接触しているので、鋼製架台２が基礎部６上にて水平方向に自由に熱伸びできる。これにより、熱伸びによる鋼製架台２の曲げ変形が抑制される。
【００６９】
また、例えば、上記のゴム層６４に代えて、基礎部６が板バネを有し、この板バネを挟み込みつつ鋼製架台２が基礎部６上に配置されても良い（図示省略）。このとき、板バネは、鋼製架台２の水平方向（回転軸３１、４１の軸方向）に弾性変形可能な向きで配置される。かかる構成では、タービン３、４からの熱により鋼製架台２が熱伸びしたときに、板バネが弾性変形することにより、鋼製架台２がタービン３、４の回転軸３１、４１方向に自由に熱伸びできる。これにより、熱伸びによる鋼製架台２の曲げ変形が抑制される。
【産業上の利用可能性】
【００７０】
以上のように、本発明にかかる発電プラントは、タービンの回転軸のアライメントを適正に維持できる点で有用である。
【図面の簡単な説明】
【００７１】
【図１】この発明の実施例にかかる発電プラントを示す構成図である。
【図２】図１に記載した発電プラントの鋼製架台の変形防止構造を示す構成図である。
【図３】図２に記載した鋼製架台の変形防止構造の変形例を示す構成図である。
【図４】図２に記載した鋼製架台の変形防止構造の変形例を示す構成図である。
【図５】図２に記載した鋼製架台の変形防止構造の変形例を示す構成図である。
【図６】図２に記載した鋼製架台の変形防止構造の変形例を示す構成図である。
【図７】図２に記載した鋼製架台の変形防止構造の変形例を示す構成図である。
【図８】図２に記載した鋼製架台の変形防止構造の変形例を示す構成図である。
【図９】図２に記載した鋼製架台の変形防止構造の変形例を示す構成図である。
【符号の説明】
【００７２】
１    発電プラント
２    鋼製架台
２１、２２  部分
２３、２４  壁部
２５  隔壁
３    ガスタービン
３１  回転軸
３２  軸受
３３  フランジ部
４    蒸気タービン
５    発電機
６    基礎部
６１  基台
６２  圧縮コイルバネ群
６３  支持台
６４  ゴム層
７１  断熱材
７２  冷却溝
７３  冷却通路
７４  仕切板
７５  温度センサ
７６  加熱手段
７７  制御部
７８  歪みセンサ
７９  矯正手段
７９１  油圧ジャッキ
７９２  アクチュエータ
Ｃ    接続部
Ｇ    地面
Ｐ    冷媒供給手段
【図１】
2007292194.tif 000003
【図２】
2007292194.tif 000004
【図３】
2007292194.tif 000005
【図４】
2007292194.tif 000006
【図５】
2007292194.tif 000007
【図６】
2007292194.tif 000008
【図７】
2007292194.tif 000009
【図８】
2007292194.tif 000010
【図９】
2007292194.tif 000011